(57)【特許請求の範囲】
【請求項１】
上枠、下枠及び縦枠が組まれて形成されてなる壁パネルであって、隣り合う両縦枠間に挿通したピンが設けられ、またこのピンに懸吊用ワイヤーが巻回されると共に、該両縦枠間の空間の天部において上記上枠に設けられた挿通孔から上記懸吊用ワイヤーの先端を突出させることを特徴とする壁パネル。
【請求項２】
請求項１記載の壁パネルであって、上記懸吊用ワイヤーの挿通孔の下面の一部と、上記両縦枠間の空間の上面の一部とが重なって配置されていることを特徴とする壁パネル。
【請求項３】
方形の床パネルの対向する２対の側縁の少なくとも１対の側縁の夫々に沿って請求項１又は２記載の壁パネルが立設され、この壁パネルの上部に天井パネルが取付けられるか、又は取付けられずに組み立てられたことを特徴とする建物ユニット。
【請求項４】
請求項３記載の建物ユニットの四隅において、該建物ユニットを構成する請求項１又は２記載の壁パネルが具備するピンに巻回された懸吊用ワイヤーを上記挿通孔を通じて上枠上部に案内し、この懸吊用ワイヤーに吊り治具を連結して上記建物ユニットを懸吊することを特徴とする建物ユニットの懸吊方法。
【発明の詳細な説明】
【０００１】
【発明の属する技術分野】
本発明は、懸吊操作に適した壁パネル、該壁パネルからなる建物ユニット及び建物ユニットの懸吊方法に関する。
【０００２】
【従来の技術】
住宅の工業生産化を図る一方式である建物ユニット方式は、運搬可能な所定の大きさの立体的な建物ユニットを工場で組み立て、その複数を建築現場で接合して建物を完成させるものであるから、建築工事においてこれらの建物ユニットを懸吊することが必要となる。
【０００３】
安全かつ簡単に懸吊可能な建物ユニットを与える壁パネル及び建物ユニットとしては、種々の方式が提案されている。その代表例の一つとして、例えば、特公昭５９−５０８３５号公報の建物ユニットが挙げられる。この提案では、建物ユニットの上部四隅において、該建物ユニットを構成する壁パネルの最外側の縦枠と該縦枠と隣合う縦枠の間に吊り金具を係止する枠金具を収め、この枠金具を両縦枠に差し渡したピンで支持せしめ、上記枠
金具に係止した吊り金具を用いて懸吊するようにした建物ユニットである。
【０００４】
上記建物ユニットにつき、図１０及び図１１により詳述する。図１０は建物ユニットを構成する壁パネルを外側正面からみた垂直断面図である。該建物ユニットは、縦枠２１と上枠２２と下枠２３とによって組み立てられた壁枠組を有する壁パネルと、根太１１及び床面材１２からなる床パネル１０から構成されている。最外側の縦枠２１ａと、これに隣合う縦枠２１ｂは、所定の近接した間隔を隔てて配設され、両者間に所定の高さの空間３を残してスペーサー４が挿入されている。２２ａは上枠２２に穿設されたボルト挿通孔であって空間３に連通している。
【０００５】
空間３の上部には、金属製でロ字状の枠金具５が配置され、該枠金具５の天部内面に溶着ナット５１が溶着されている。この溶着ナット５１に、ボルト挿通孔２２ａを通じて懸吊用ボルト（例えば、アイボルト９）が螺合可能とされている。
【０００６】
ピン６は、枠金具５を貫通するとともに、壁パネルの縦枠２１ａ、２１ｂの挿通孔７ａに挿通している。枠金具５の溶着ナット５１に懸吊用アイボルト９が螺合され、該アイボルト９に吊り治具（例えば、フック状治具）にて吊り上げられる際に、上記ピン６が縦枠２１ａ、２１ｂに保持され、ピン６の剪断力により吊り上げ可能となされている。
【０００７】
【発明が解決しようとする課題】
しかし、上記従来の建物ユニットでは、予め枠金具５を壁パネルの縦枠２１ａ、２１ｂ間に配置しておく必要があり、またアイボルト９の螺合及び取り外しが必要である。このため、アイボルト９の螺合及び取り外しに現場工数を要し、またアイボルト９が建設現場では紛失しやすくコストロスが頻発する。さらに、溶着ナット５１を含む枠金具５は、建物ユニットの吊り上げ作業終了後は無用となるが、回収は不能で材料及びコストのロスになる。
【０００８】
また、上記従来の図１０で図示したような懸吊用構造を有する壁パネルは、最外側の縦枠２１ａとこれに隣合う縦枠２１ｂとの間隔に、天部内面に溶着ナット５１が溶着されている枠金具５が収納されているため、最外側の縦枠２１ａの外端面と隣合う縦枠２１ｂの内端面の距離（図１０のＸ）は、所定の距離を必要とする。通常、この距離（Ｘ）は、壁パネルの厚さよりも大きくなる。この従来技術の懸吊用構造を有する壁パネルを、外壁パネルとして用い建物ユニットを組み立てる場合には問題ないが、該壁パネルを居住空間の間仕切りパネルとして用い建物ユニットを組み立てる場合には、次のような問題が生じることがある。
【０００９】
図１１を用い、従来技術の懸吊用構造を有する壁パネルを間仕切りパネルとして用い建物ユニットを組み立てる場合の問題につき説明する。
図１１は、従来技術の懸吊用構造を有する壁パネルから組み立てられた建物ユニットの一部分を示す一部切欠斜視図である。１０は建物ユニットの床パネルであって、根太１１によって方形に組み立てられた上面に床面材１２が取付けられている。２ａは従来技術の懸吊用構造を有する壁パネルである。壁パネル２ｂは、壁パネル２ａと同様、縦枠２１、２１……と上枠２２と下枠２３により組み立てられた壁枠組を有しており、該壁枠組の内外両面には内壁材２４及び外壁材２５が設けられている。
【００１０】
壁パネル２ａは床パネル１０の一側縁に沿って、又壁パネル２ｂは該一側縁に相隣る側縁に沿って配置され、夫々床パネル１０へ下枠２３が釘打ちされ立設されている。
【００１１】
壁パネル２ａを間仕切りパネルとして用い、図１１のように、壁パネル２ａに開口部Ｂを大きくとり、隣に連結して建設される建物ユニットとの通路、或いは共通居住空間とし
て利用しようとする場合、壁パネル２ａの懸吊用構造を収納した端部がはみ出し（図１１のＹ）、通路幅を狭くしたり、居住性を阻害したりする。また、外見上も美観を損ねるものとなる。
【００１２】
Ｙは、壁パネル２ａの懸吊用構造を収納した最外側の縦枠２１ａの外端面と隣合う縦枠２１ｂの内端面の距離（図１０のＸ）の方が、床パネルの角部において
直角に当接する壁パネル２ｂの厚さより大きいため生じる。
【００１３】
本発明の目的は、上述の事情を考慮してなされたものであり、懸吊作業において現場工数及び部品数が削減可能でコストが節減できる壁パネル、該壁パネルからなる建物ユニット及び該建物ユニットの懸吊方法を提供すること、及び、壁パネルを間仕切りパネルとして用いても、間仕切り部に十分な開口部を確保することができ、通路が確保され、居住性を阻害せず、外見上美観を損ねない懸吊用構造を具備した壁パネル、該壁パネルからなる建物ユニット及び該建物ユニットの懸吊方法を提供することにある。
【００１４】
【課題を解決するための手段】
請求項１に記載の壁パネル（以下、本発明１という）は、上枠、下枠及び縦枠が組まれて形成されてなる壁パネルであって、隣り合う両縦枠間に挿通したピンが設けられ、またこのピンに懸吊用ワイヤーが巻回されると共に、該両縦枠間の空間の天部において上記上枠に設けられた挿通孔から上記懸吊用ワイヤーの先端を突出させることを特徴とする。
【００１５】
請求項２に記載の壁パネル（以下、本発明２という）は、本発明１の壁パネルであって、上記懸吊用ワイヤーの挿通孔の下面の一部と、上記両縦枠間の上面の一部とが重なって配置されていることを特徴とする。
【００１６】
請求項３に記載の建物ユニット（以下、本発明３という）は、方形の床パネルの対向する２対の側縁の少なくとも１対の側縁の夫々に沿って本発明１又は２の壁パネルが立設され、この壁パネルの上部に天井パネルが取付けられるか、又は取付けられずに組み立てられたことを特徴とする。
【００１７】
請求項４に記載の建物ユニットの懸吊方法（以下、本発明４という）は、本発明３の建物ユニットの四隅において、該建物ユニットを構成する本発明１又は２の壁パネルが具備するピンに巻回された懸吊用ワイヤーを上記挿通孔を通じて上枠上部に案内し、この懸吊用ワイヤーに吊り治具を連結して上記建物ユニットを懸吊することを特徴とする。
【００１８】
【作用】
本発明１の壁パネルは、上枠、下枠及び縦枠が組まれて形成されてなる壁パネルであって隣り合う両縦枠間に挿通したピンが設けられ、またこのピンに懸吊用ワイヤーが巻回されると共に、該両縦枠間の空間の天部において上記上枠に設けられた挿通孔から上記懸吊用ワイヤーの先端を突出させるので、従来技術のような枠金具が不要であり、また懸吊用アイボルトの螺合、取り外し作業が不要となる。さらに、本発明１の壁パネルを間仕切りパネルとして用いたとき、枠金具を納める必要がないので両縦枠の間隔を小さくすることができ、その結果、両縦枠を合わせた幅を小さくできる。よって、間仕切り部に十分な開口部を確保することができ、通路幅が確保され、居住性を阻害せず、外見上美観を損ねない。
【００１９】
本発明２の壁パネルは、本発明１の壁パネルであり且つ上記懸吊用ワイヤーの挿通孔の下面の一部と、上記両縦枠間の上面の一部とが重なって配置されているので、上記本発明１の作用を奏するとともに、縦枠間の空間から挿通孔へ貫通する隙間が小さくなりワイヤーに対して接触摩擦力を生ずる。よって本発明２の壁パネルが具備するピンに吊り上げワ
イヤーを巻回し、該ワイヤーを上記挿通孔を通じて上枠上部に案内したとき、該ワイヤーが自重で下方に落下しにくくなり、該ワイヤーを用いての懸吊の作業性が改善される。
【００２０】
本発明３の建物ユニットは、方形の床パネルの対向する２対の側縁の少なくとも１対の側縁の夫々に沿って本発明１又は２の壁パネルが立設され、この壁パネルの上部に天井パネルが取付けられるか、又は取付けられずに組み立てられているので、該建物ユニットを吊り上げる際に、従来技術のような枠金具が不要であり、また懸吊用アイボルトの螺合、取り外し作業が不要となる。また、本発明３の建物ユニット同士を連結したとき、十分な開口部を確保することができ、通路が確保され、居住性を阻害せず、外見上美観を損ねない。
【００２１】
本発明４の建物ユニットの懸吊方法は、本発明３の建物ユニットの四隅において、該建物ユニットを構成する本発明１又は２の壁パネルが具備するピンに巻回された懸吊用ワイヤーを上記挿通孔を通じて上枠上部に案内し、この懸吊用ワイヤーに吊り治具を連結して上記建物ユニットを懸吊する方法であるので、従来技術のような枠金具が不要であり、また懸吊用アイボルトの螺合、取り外し作業が不要となる。さらに、アイボルトが不要となるのでコストロスが削減される。
さらに、本発明２の壁パネルを用いて組み立てられた本発明３の建物ユニットを懸吊する場合には、前記本発明２の作用と同様、上記ワイヤーが自重で下方に落下しにくくなり、該ワイヤーを用いての懸吊の作業性が改善される。
【００２２】
【発明の実施の形態】
以下、本発明の実施の形態を、図面に基づいて説明する。
図１は、本発明１の壁パネルの実施の一例を示す一部切欠斜視図であり、図２は、本発明２の壁パネルの実施の一例を示す一部切欠斜視図である。図３は、本発明１の壁パネルの片端上部の一部を拡大した斜視図である。なお、図３は壁パネルの壁枠組のみを示し、外壁材及び内壁材は省略されている。図４は、図３の垂直断面図である。
【００２３】
図１に示す壁パネル２ｃは、縦枠２１、２１、……、上枠２２及び下枠２３により組み立てられた壁枠組からなる。本実施例では、縦枠２１、上枠２２、下枠２３ともに、３８ｍｍ×８９ｍｍの木材を用いた。該壁枠組の内外両面には内壁材２４及び外壁材２５が設けられ壁パネルを構成している。該壁パネルの内部には、グラスウール等の断熱材も装填される。最外側の縦枠２１ａと、これに隣り合う縦枠２１ｂは、所定の近接した間隔を隔てて配設され、両者間に所定の高さの空間３を残してスペーサー４が挿入されている。空間３の天部において、上枠２２に懸吊用ワイヤーの挿通孔２２ａが穿設されており空間３に連通している。
【００２４】
縦枠２１ａ、２１ｂには、挿通孔７ａが設けられており、直径１６ｍｍの鋼棒からなるピン６が挿通している。本発明１の壁パネルが１対以上用いられた建物ユニットを吊り上げる際には、例えば、本実施例においては懸吊用ワイヤーとして輪状ワイヤー８を用い、該輪状ワイヤー８を図３及び４に示したようにピン６に巻回し、挿通孔２２ａを通じて上枠２２の上部に案内し、次いで先端に吊り治具（例えば、フック状治具）を有するロープに連結し、該ロープによる懸吊が可能となされている。
【００２５】
ピン６は縦枠２１ａ、２１ｂに保持されており、ピン６の剪断力により懸吊が可能である。通常、輪状ワイヤー８をピン６に巻回させる方法としては、輪状ワイヤー８を挿通孔２２ａを挿通して空間３に存在せしめた後、輪状ワイヤー８の輪中にピン６が通過するように、ピン６を縦枠２１ａ、２１ｂに差し渡してもよい。
【００２６】
吊り上げ作業終了後、輪状ワイヤー８は空間３内に落とし込んでもよいし、また、ピン
６を抜いて挿通孔２２ａから抜き取ってもよい。
【００２７】
本実施例のように、枠材として３８ｍｍ×８９ｍｍの木材を用いる場合には、従来の方法では断面ロ字状で奥行き５０ｍｍ、幅３８ｍｍ、高さ１８５ｍｍの金属製の懸吊用枠金具５が用いられており（図１０）、従って、懸吊用構造を形成する縦枠２１ａと縦枠２１ｂを合わせた幅は１１４ｍｍであったが、本実施例においては、上記枠金具５の省略により、後述する寸法の輪状ワイヤー８を使用するとき、この幅が８８ｍｍとなり用いた枠材の幅寸法以下となすことが可能となった。
【００２８】
図２に示す壁パネル２ｄは、片側が大きな開口部Ｂとなされており、開口部Ｂ以外の壁枠組の両面は共に内壁材２４が設けられている他は、壁パネル２ｃと同様である。
【００２９】
図５は、本発明２の壁パネルの片端上部の一部を拡大した斜視図であり、図６は、図５の垂直断面図である。なお、図５は壁パネルの壁枠組のみを示し、外壁材及び内壁材は省略されている。
【００３０】
図５及び図６に示すように、懸吊用ワイヤー８の挿通孔２２ｂの中心は、最外側の縦枠２１ａと、これに隣り合う縦枠２１ｂにより形成される空間３の天部の中心よりずれた位置となされている。すなわち、上記挿通孔２２ｂの下面の一部と上記空間３の上面の一部とが重なって配置されている。
本実施例においては、図１の実施例同様、縦枠２１、上枠２２、下枠２３ともに、３８ｍｍ×８９ｍｍの木材を用い、上記挿通孔２２ｂの中心は上枠２２の端部より５７ｍｍの位置とし、その直径は３０ｍｍとした。
【００３１】
本実施例において、懸吊用ワイヤー８は後述する直径６ｍｍのものを用いたが、上記空間３の天部から挿通孔２２ｂへ貫通する隙間は、上記ワイヤー８を２本通すに限度近い寸法（上枠長手方向の寸法が最大部分で８ｍｍ）となり、該ワイヤーは捩じれた挿通状態を呈するとともに、ワイヤーに対して接触摩擦力を生ずる。よって、該ワイヤーは自重で下方に落下しにくくなり、該ワイヤーを用いての懸吊の作業性が改善される。
【００３２】
図７は、本発明３の建物ユニット１の実施の一例を示す分解斜視図である。１０は建物ユニットの床パネルであって、根太１１、１１、……によって方形に組み立てられた上面に床面材１２が取付けられている。２ｃ、２ｃは本発明１の壁パネルであり、壁パネル２ｂは、本発明１と同様、縦枠２１、２１……と上枠２２と下枠２３により組み立てられた壁枠組を有しており、該壁枠組の内外両面には内壁材２４及び外壁材２５が設けられている。該壁パネルの内部には、グラスウール等の断熱材も装填される。本実施例では、壁パネル２ｃ、２ｃの一方は開口部Ａを有している。壁パネル２ｃ、２ｃは、床パネル１０の一対の相対向する側縁に沿って、又壁パネル２ｂは一側縁に沿って配置され、夫々床パネル１０へ下枠２３が釘打ちされ立設されている。
【００３３】
更に、壁パネル２ｃの縦枠２１ａの側面下部から床パネル１０の底面にかけては特公昭５９−５０８３５号公報に記載されているようなＬ字形の補強部材２８が取り付けられている。
【００３４】
なお隣合う壁パネル２ｃと２ｂとは、両壁枠組の最外側の縦枠２１ａを互いに突き合わせて釘打ちされ緊結されている。
【００３５】
図７の建物ユニット１は、方形床パネル１０の対向する１対の側縁に本発明１の壁パネル２ｃが立設され、上部四隅に図１、３及び４に示したピン６及び懸吊用ワイヤーの挿通孔２２ａの懸吊用構造を具備しており、本発明１の実施の一例で上述した通り、該懸吊用
構造を利用して懸吊用ワイヤー、例えば、輪状ワイヤーにて懸吊可能である。
【００３６】
図７に例示した建物ユニット１は、床パネル１０の３方の側縁に壁パネルが立設され、対向する壁パネル２ｃ、２ｃの一方は開口部Ａを有する例であるが、建物ユニット１は、建物を構成する箇所に応じ適宜壁パネルが立設され、かつ床パネル１０の少なくとも１対の相対向する側縁に、本発明１の壁パネルが立設される。
【００３７】
また、図７に例示した建物ユニット１には天井パネルは取り付けられていない。それは壁パネルの上には別途用意した屋根を取り付けるか、或いはこの上に載置し取り付ける上階の建物ユニットの床パネルを下階の建物ユニットの天井として利用するようになしたからであるが、本発明３の建物ユニット１としては、天井パネルが取付けられたものであってもよい。
【００３８】
図８は、本発明３の建物ユニット２の実施の他の一例を示す分解斜視図である。図７の本発明１の壁パネル２ｃ、２ｃの一方または両方を、開口部Ｂを有する図２の本発明２の壁パネル２ｄとした他は図７と同様である（図８は両壁パネル共に２ｄとした例）。
【００３９】
上記建物ユニット２の開口部Ｂ同士を連結しユニット間に通路を設けたとき、図６で前述した通り、懸吊用構造を形成する縦枠２１ａと縦枠２１ｂを合わせた幅は８８ｍｍとなり、壁パネル２ｂの外壁材２２と内壁材２４を除いた壁枠組の厚さ８９ｍｍ以下となるので、従来技術で生じる段差（図１１のＹ）が生じない。
【００４０】
図９は本発明４の建物ユニットの懸吊方法の実施の一例を示す斜視図である。建物ユニット１の懸吊は、例えば、本実施例においては懸吊用ワイヤーとして４個の輪状ワイヤー８を用い、該輪状ワイヤー８を建物ユニット１の上部四隅の４ツのピン６に図３及び４に示したように巻回し、挿通孔２２ａを通じて上枠２２の上部に案内し、次いで先端に吊り治具（例えば、フック状治具１８）を有するロープ１７に連結し、図９に示す懸吊用治具１９にて４本のロープ１７を懸吊してなされる。本実施例において、輪状ワイヤー８は、細い鋼線を６本束ねて撚合わせた直径６ｍｍのワイヤー（許容引張り耐力  ３ｔｆ）を輪状としたものを用いた。懸吊用ワイヤーとしては、その他ナイロンスリング等所定の耐力を有すれば使用可能である。
【００４１】
吊り上げ作業終了後、輪状ワイヤー８は空間３内に落とし込んでもよいし、また、ピン６を抜いて挿通孔２２ａから抜き取ってもよい。
【００４２】
また、図示は省略するが、図９における建物ユニット１の代わりに、建物ユニット２を用いても、輪状ワイヤー８を建物ユニット２の上部四隅の４個のピン６に、図５及び６に示したように巻回し、挿通孔２２ｂを通して上枠２２の上部に案内し、図９と同様にして懸吊することができる。
【００４３】
【発明の効果】
本発明１の壁パネルは、上枠、下枠及び縦枠が組まれて形成されてなる壁パネルであって隣り合う両縦枠間に挿通したピンが設けられ、またこのピンに懸吊用ワイヤーが巻回されると共に、該両縦枠間の空間の天部において上記上枠に設けられた挿通孔から上記懸吊用ワイヤーの先端を突出させるので、従来技術のような枠金具が不要であり、また懸吊用アイボルトの螺合、取り外し作業が不要となる。さらに、本発明１の壁パネルを間仕切りパネルとして用いたとき、間仕切り部に十分な開口部を確保することができ、通路幅が確保され、居住性を阻害せず、外見上美観を損ねない。
【００４４】
本発明２の壁パネルは、本発明１の壁パネルであり且つ上記懸吊用ワイヤーの挿通孔の
下面の一部と、上記両縦枠間の上面の一部とが重なって配置されているので、上記本発明１の作用を奏するとともに、縦枠間の空間から挿通孔へ貫通する隙間が小さくなりワイヤーに対して接触摩擦力を生ずる。よって本発明２の壁パネルが具備するピンに吊り上げワイヤーを巻回し、該ワイヤーを上記挿通孔を通じて上枠上部に案内したとき、該ワイヤーが自重で下方に落下しにくくなり、該ワイヤーを用いての懸吊の作業性が改善される。
【００４５】
本発明３の建物ユニットは、方形の床パネルの対向する２対の側縁の少なくとも１対の側縁の夫々に沿って本発明１又は２の壁パネルが立設され、この壁パネルの上部に天井パネルが取付けられるか、又は取付けられずに組み立てられているので、該建物ユニットを吊り上げる際に、従来技術のような枠金具が不要であり、また懸吊用アイボルトの螺合、取り外し作業が不要となる。さらに、アイボルトが不要となるので、コストロスが削減される。また、本発明３の建物ユニット同士を連結したとき、十分な開口部を確保することができ、通路が確保され、居住性を阻害せず、外見上美観を損ねない。
【００４６】
本発明４の建物ユニットの懸吊方法は、本発明３の建物ユニットの四隅において、該建物ユニットを構成する本発明１又は２の壁パネルが具備するピンに巻回された懸吊用ワイヤーを上記挿通孔を通じて上枠上部に案内し、この懸吊用ワイヤーに吊り治具を連結して上記建物ユニットを懸吊する方法であるので、従来技術のような枠金具が不要であり、また懸吊用アイボルトの螺合、取り外し作業が不要となる。さらに、アイボルトが不要となるので、コストロスが削減され、経済的、かつ簡単で安全な建物ユニットの懸吊方法である。さらに、本発明２の壁パネルを用いて組み立てられた本発明３の建物ユニットを懸吊する場合には、前記本発明２の作用と同様、上記ワイヤーが自重で下方に落下しにくくなり、該ワイヤーを用いての懸吊の作業性が改善される。
【図面の簡単な説明】
【図１】  本発明１の壁パネルの実施の一例を示す一部切欠斜視図である。
【図２】  本発明２の壁パネルの実施の一例を示す一部切欠斜視図である。
【図３】  本発明１の壁パネルの片端上部の一部を拡大した斜視図である。
【図４】  図３の垂直断面図である。
【図５】  本発明２の壁パネルの片端上部の一部を拡大した斜視図である。
【図６】  図５の垂直断面図である。
【図７】  本発明３の建物ユニットの実施の一例を示す一部切欠斜視図である。
【図８】  本発明３の建物ユニットの実施の他の一例を示す一部切欠斜視図である。
【図９】  本発明４の建物ユニットの懸吊方法の実施の一例を示す斜視図である。
【図１０】  従来の壁パネルの垂直断面図である。
【図１１】  従来の壁パネルを用いた建物ユニットの一例を示す一部切欠斜視図である。
【符号の説明】
１、２                  建物ユニット
１０                    床パネル
１１                    根太
１２                    床面材
１７                    ロープ
１８                    フック状治具
１９                    懸吊用治具
２ａ、２ｂ、２ｃ、２ｄ  壁パネル
２１、２１ａ、２１ｂ    縦枠
２２                    上枠
２２ａ、２２ｂ，７ａ    挿通孔
２３                    下枠
２４                    内壁材
２５                    外壁材
２８                    補強部材
３                      空間
４                      スペーサー
５                      枠金具
６                      ピン
８                      輪状ワイヤー
９                      アイボルト
【図１】
0003808984.tif 000002
【図２】
0003808984.tif 000003
【図３】
0003808984.tif 000004
【図４】
0003808984.tif 000005
【図５】
0003808984.tif 000006
【図６】
0003808984.tif 000007
【図７】
0003808984.tif 000008
【図８】
0003808984.tif 000009
【図９】
0003808984.tif 000010
【図１０】
0003808984.tif 000011
【図１１】
0003808984.tif 000012